(57)【特許請求の範囲】
【請求項１】
基材上に導体からなるアンテナを備えたアンテナ体であって、アンテナを介したデータの受送信動作とデータの書き込み可能に記憶保持動作とを行うＩＣチップを設けることにより非接触型データ受送信体となるアンテナ体において、
それぞれ前記アンテナに一体にして接続され、かつ、アンテナのループ長さ方向に間隔を取って配置された複数のアンテナ側の面状導体と、それぞれ絶縁物質を介して前記アンテナ側の面状導体に対応配置されて互いに非接続の独立したパターンである複数の対向側の面状導体とからなるキャパシタンス調整手段を備え、
前記絶縁物質は前記対向側の面状導体が設けられた絶縁シートであり、該絶縁シートがアンテナに重ね合わされ、前記絶縁シートを介してアンテナ側の面状導体と対向側の面状導体とを対応配置したことを特徴とする非接触型データ受送信体用アンテナ体。
【請求項２】
請求項１の非接触型データ受送信体用アンテナ体のキャパシタンス調整手段におけるアンテナ側の面状導体と対向側の面状導体とが対向してなる組を選択的に導通させることを特徴とする非接触型データ受送信体用アンテナ体のキャパシタンス調整方法。
【発明の詳細な説明】
【０００１】
【発明の属する技術分野】
本発明は非接触型ＩＣタグなどの非接触型データ受送信体に用いられるアンテナ体とその製造方法に関するものである。
【０００２】
【発明が解決しようとする課題】
近年においては、非接触型ＩＣタグやＲＦ−ＩＤ（Ｒａｄｉｏ  Ｆｒｅｑｕｅｎｃｙ  ＩＤｅｎｔｉｆｉｃａｔｉｏｎ）用途の情報記録メディアのように電磁波を媒体として情報を受信し、また送信できるようにした非接触型データ受送信体が提案されている。この非接触型データ受送信体は比較的小型にして薄型の形態をなしていて、基材上に導体からなるアンテナを備えるアンテナ体に対して、アンテナを介したデータの受送信動作とデータの書き込み可能に記憶保持動作とを行うＩＣチップを接続することによって構成されているものであり、前記アンテナ体における基材上のアンテナは、印刷やエッチングなどにてアンテナパターンの導体を得ることにより形成されていた。
【０００３】
ところで、上記非接触型データ受送信体のアンテナを形成する上で、直流抵抗Ｒ、インダクタンスＬ、キャパシタンスＣ、及び共振の尖鋭度Ｑが重要であり、これらを制御しながらアンテナを形成することが必要となっている。しかしながら、印刷、エッチングを問わずに形成されたアンテナのキャパシタンスを後加工にて調整する方法としては、導体を削ったりレーザーにて切るというようなキャパシタンスを低くする方向での加工しか行なわれていない。この点は形成されたアンテナが設計よりも太い場合（アンテナのループの間隔が狭くなる）の対処であるため、この方法による後加工ではキャパシタンスを大きくすることはできなかった。
そのため、キャパシタンスが高いアンテナとする場合には、新たなアンテナ設計を行うことになるが、キャパシタンスの値を大きくするために共振の尖鋭度を大きくする必要があるといった制限もあり、キャパシタンスの値を大きくする方向での調整は容易なものとはなっていなかった。
そこで本発明は上記事情に鑑み、アンテナの新たな設計を行うことなくアンテナのキャパシタンスを高いものとすることを課題とし、キャパシタンスの値を調整した非接触型データ受送信体を容易に得ることを目的とするものである。
【０００４】
【課題を解決するための手段】
本発明は上記課題を考慮してなされたもので、基材上に導体からなるアンテナを備えたアンテナ体であって、アンテナを介したデータの受送信動作とデータの書き込み可能に記憶保持動作とを行うＩＣチップを設けることにより非接触型データ受送信体となるアンテナ体において、それぞれ前記アンテナに一体にして接続され、かつ、アンテナのループ長さ方向に間隔を取って配置された複数のアンテナ側の面状導体と、それぞれ絶縁物質を介して前記アンテナ側の面状導体に対応配置されて互いに非接続の独立したパターンである複数の対向側の面状導体とからなるキャパシタンス調整手段を備え、前記絶縁物質は前記対向側の面状導体が設けられた絶縁シートであり、該絶縁シートがアンテナに重ね合わされ、前記絶縁シートを介してアンテナ側の面状導体と対向側の面状導体とを対応配置したことを特徴とする非接触型データ受送信体用アンテナ体を提供して、上記課題を解消するものである。
また、もう一つの発明は、上記非接触型データ受送信体用アンテナ体のキャパシタンス調整手段におけるアンテナ側の面状導体と対向側の面状導体とが対向してなる組を選択的に導通させることを特徴とする非接触型データ受送信体用アンテナ体のキャパシタンス調整方法を提供して、上記課題を解消するものである。
【０００５】
【発明の実施の形態】
つぎに本発明を図１に示す実施の形態に基づいて詳細に説明する。
図中１は非接触型データ受送信体用アンテナ体で、該アンテナ体１は本体２とキャパシタンス調整手段３とからなるものである。前記本体２は、絶縁物質であって紙などからなる基材４上に、印刷により導電インキを施して導体５からなるアンテナ６を設けたものであり、このアンテナ体１に、前記アンテナ６を介したデータの受送信動作とデータの書き込み可能に記憶保持動作とを行うＩＣチップを接続することで、非接触型データ受送信体が形成できるようにしたものである。
一方、キャパシタンス調整手段３は、複数のアンテナ側の面状導体７と複数の対向側の面状導体８とが絶縁物質Ａを介して対向してなるものであり、前記複数面状導体７にあっては、それぞれ上記アンテナ６に一体にして接続され、かつ、アンテナのループ長さ方向に間隔を取って配置された方形状の導体であり、また、面状導体８にあっては前記アンテナ側の面状導体７に対応配置されて互いに非接続の独立したパターンである方形状の導体であり、面状導体７と面状導体８とは同一の形状としており、この面状導体７と面状導体８とが絶縁物質Ａを介して対向し、後述するように両者の導通が行われることでコンデンサが形成されてキャパシタンスを高めるようにするものである。そして、このアンテナ体１の具体的な構造は図１に示されていて、前記絶縁物質Ａを面状導体８が設けられた絶縁シート９としているものであり、該絶縁シート９が前記アンテナ６に重ね合わせ接着され、この絶縁シート９を介してアンテナ側の面状導体７と対向側の面状導体８とを対応配置したものである。
【０００６】
そして、上記構造のアンテナ体１にあいて、キャパシタンスの値を高める方向に調整するには、アンテナ側の面状導体７と対向側の面状導体８とが対向してなる組を選択的にカシメればよく、このカシメられた組におけるアンテナ側の面状導体７と対向側の面状導体８とが導通するようになり、カシメる組の数を変えることでキャパシタンスの値が変わるようになる。なお、アンテナ側の面状導体７と対向側の面状導体８とを導通させる方法としてはカシメ以外にスルーホールを設けて導通を図るようにしてもよく、さらに上記絶縁物質Ａを絶縁性樹脂層とするものの場合には導通を行わせる組にのみ、絶縁性樹脂層に代えて導電インキなどの導電物質を部分的に設けてコンデンサが形成できるようにしてもよい。
【０００７】
上記キャパシタンス調整手段３を備えた構成のアンテナ体１に対してカシメられた組（対向するアンテナ側の面状導体と対向側の面状導体との組）の数を変えたもの（ａ）、（ｂ）、（ｃ）を用意し、それぞれの直流抵抗（Ｒ（Ω））、インダクタンス（Ｌ（μＨ））、キャパシタンス（Ｃ（ｐＦ））、共振の尖鋭度（Ｑ値）を求めた。
【０００８】
【表１】
カシメ数      Ｒ        Ｌ        Ｃ        Ｑ値
（ａ）    ０        ６９      ５．０    ５．６      ６
（ｂ）    １        ６９      ５．０    ６．６      ６
（ｃ）    ２        ６９      ５．０    ６．９      ６
【０００９】
表１に示されているように、キャパシタンス調整部材に対してカシメるアンテナ側の面状導体と対向側の面状導体との組を多くすることでキャパシタンスの値が高くなることが確認できた。
【００１０】
【発明の効果】
以上説明した発明により、キャパシタンス調整手段がアンテナ側の面状導体と対向側の面状導体とを絶縁物質を介して対向させたという簡単な構成であり、アンテナ体の作成を煩雑にすることがない。また、アンテナの設計を新たに行なうことなくキャパシタンスの値を高めたアンテナ体が得られるようになる。そして、アンテナ側の面状導体と対向側の面状導体との組を選択的に導通させるという簡易な構成で種々のキャパシタンスの値となるアンテナ体を効率よく製造できるなど、実用性に優れた効果を奏するものである。
【図面の簡単な説明】
【図１】  本発明に係る非接触型データ受送信体用アンテナ体の一例を分解した状態で示すもので、（イ）は本体のアンテナ面側を示す説明図、（ロ）は絶縁シートを示す説明図である。
【符号の説明】
１…非接触型データ受送信体用アンテナ体
２…本体
３…キャパシタンス調整手段
４…基材
６…アンテナ
７…アンテナ側の面状導体
８…対向側の面状導体
Ａ…絶縁物質
【図１】
0004181708.tif 000002